(57)【要約】【課題】複数の口座に対応する媒体を受け付け、前記口座の口座情報を取得して資金の移動元及び移動先の口座を推定し、資金の移動方向を顧客が選択可能に表示することによって、複数の口座間で資金を移動させる処理を行う際に、金融機関名、支店名、口座番号等の情報を入力する必要がなく、顧客が短時間で、容易に、確実に資金を移動させる処理を行うことができるようにする。【解決手段】複数の口座間で資金を移動する取引を行う場合に資金の移動方向を推定する制御手段を有し、操作手段は、媒体取り扱い手段が読み取った各口座に対応する媒体に格納されたデータに基づいて特定された各口座の口座情報を表示するとともに、制御手段が推定した資金の移動方向を選択可能に表示する。【選択図】図１
2006350582.tif 000002
【特許請求の範囲】
【請求項１】
（ａ）金融機関に開設された口座に対応する媒体を取り扱う媒体取り扱い手段と、
（ｂ）表示機能及び入力機能を備える操作手段とを有する自動取引装置であって、
（ｃ）複数の口座間で資金を移動する取引を行う場合に資金の移動方向を推定する制御手段を有し、
（ｄ）前記操作手段は、前記媒体取り扱い手段が読み取った各口座に対応する媒体に格納されたデータに基づいて特定された各口座の口座情報を表示するとともに、前記制御手段が推定した資金の移動方向を選択可能に表示することを特徴とする自動取引装置。
【請求項２】
前記制御手段は、前記媒体取り扱い手段が前記媒体を取り扱った順序に基づいて、前記資金の移動方向を推定する請求項１に記載の自動取引装置。
【請求項３】
前記制御手段は、前記操作手段によって入力された暗証番号に基づいて、前記資金の移動方向を推定する請求項１に記載の自動取引装置。
【請求項４】
前記制御手段は、前記暗証番号の誤入力を考慮して、前記資金の移動方向を推定する請求項３に記載の自動取引装置。
【発明の詳細な説明】
【技術分野】
【０００１】
本発明は、自動取引装置に関するものである。
【背景技術】
【０００２】
従来、銀行、信用金庫、郵便局等の金融機関においては、顧客が前記金融機関に口座を開設し、該口座に関する入金、出金、振り替え、振り込み、残高照会等の各種金融取引を行うようになっている。ところで、顧客が管理する複数の口座間で顧客の設定する任意の金額の資金を移動させる場合、まず、移動元の口座から現金を引き出し、引き出した現金を移動先の口座に入金する方法が考えられる。しかし、この場合、現金の引き出しが発生し、時間と手間とを要する。そこで、金融機関の支店等に配設されたＡＴＭ（Ａｕｔｏｍａｔｉｃ  Ｔｅｌｌｅｒ  Ｍａｃｈｉｎｅ：現金自動預払機）、ＣＤ（Ｃａｓｈ  Ｄｉｓｐｅｎｓｅｒ：現金自動支払機）等の自動取引装置が備える振り込み処理機能を使用し、移動元の口座から移動先の口座に振り込むことによって、口座間取引を簡略化することが可能であることは一般に知られている。
【０００３】
この場合、顧客は、自分が管理する各口座に対応するキャッシュカード等の媒体を使用し、自動取引装置の顧客操作部に表示される画面を操作することによって、移動元の口座から移動先の口座に振り込むことができる（例えば、特許文献１、２及び３参照。）。
【特許文献１】特開平７−８５１８９号公報
【特許文献２】特許第３５２６６６４号公報
【特許文献３】特開２００１−１７５７９０号公報
【発明の開示】
【発明が解決しようとする課題】
【０００４】
しかしながら、前記従来の自動取引装置においては、顧客が管理する複数の口座間での金額の移動を振り込み処理によって行う場合、振り込み先を入力して指定する際に、振り込み先の金融機関名、支店名、口座番号を入力する必要があるので、操作に時間がかかってしまう。さらに、入力ミスが発生する可能性がある。
【０００５】
本発明は、前記従来の自動取引装置の問題点を解決して、複数の口座に対応する媒体を受け付け、前記口座の口座情報を取得して資金の移動元及び移動先の口座を推定し、資金の移動方向を顧客が選択可能に表示することによって、複数の口座間で資金を移動させる処理を行う際に、金融機関名、支店名、口座番号等の情報を入力する必要がなく、顧客が短時間で、容易に、確実に資金を移動させる処理を行うことができる自動取引装置を提供することを目的とする。
【課題を解決するための手段】
【０００６】
そのために、本発明の自動取引装置においては、金融機関に開設された口座に対応する媒体を取り扱う媒体取り扱い手段と、表示機能及び入力機能を備える操作手段とを有する自動取引装置であって、複数の口座間で資金を移動する取引を行う場合に資金の移動方向を推定する制御手段を有し、前記操作手段は、前記媒体取り扱い手段が読み取った各口座に対応する媒体に格納されたデータに基づいて特定された各口座の口座情報を表示するとともに、前記制御手段が推定した資金の移動方向を選択可能に表示する。
【０００７】
本発明の他の自動取引装置においては、さらに、前記制御手段は、前記媒体取り扱い手段が前記媒体を取り扱った順序に基づいて、前記資金の移動方向を推定する。
【０００８】
本発明の更に他の自動取引装置においては、さらに、前記制御手段は、前記操作手段によって入力された暗証番号に基づいて、前記資金の移動方向を推定する。
【０００９】
本発明の更に他の自動取引装置においては、さらに、前記制御手段は、前記暗証番号の誤入力を考慮して、前記資金の移動方向を推定する。
【発明の効果】
【００１０】
本発明によれば、自動取引装置においては、複数の口座に対応する媒体を受け付け、前記口座の口座情報を取得して資金の移動元及び移動先の口座を推定し、資金の移動方向を顧客が選択可能に表示するようになっている。そのため、複数の口座間で資金を移動させる処理を行う際に、金融機関名、支店名、口座番号等の情報を入力する必要がなく、顧客が短時間で、容易に、確実に資金を移動させる処理を行うことができる。
【発明を実施するための最良の形態】
【００１１】
以下、本発明の実施の形態について図面を参照しながら詳細に説明する。
【００１２】
図１は本発明の第１の実施の形態における自動取引装置の構成を示すブロック図である。
【００１３】
図において、１１は、銀行、信用金庫、郵便局等の金融機関の支店等に配設されたＡＴＭ、ＣＤ等の自動取引装置であり、前記金融機関の顧客が、自分で操作して入金、出金、通帳記帳、残高照会、振り込み、振り替え、送金、定期性預金設定等の金融サービスを利用するための装置である。なお、前記自動取引装置１１は、コンビニエンスストア、スーパーマーケット、デパート等の商店の店舗、地下街、駅の構内、市役所、病院等の公共施設、工場、事務所等の私企業、駐車場、道路脇（わき）等の屋外等に配設されていてもよい。また、前記自動取引装置１１は、他の機能、例えば、チケット予約機能、商品購入申し込み機能、クレジットカードの与信確認機能、施設情報案内機能等を有するキオスク（ＫＩＯＳＫ）端末のような多機能端末であってもよい。なお、前記顧客は、金融機関に自己の口座を開設し、前記金融サービスを利用する者であり、一般的には個人であるが、企業、団体等であってもよい。
【００１４】
ここで、１４は媒体取り扱い手段としてのカードリーダプリンタ部であり、図示されないカードスロットから顧客が挿入した媒体としてのキャッシュカード等（以下「カード」という。）の磁気データの読み取り及び書き込みを行う。なお、前記カードは、金融機関が顧客に対して発行した入金、出金、振り込み、残高照会等の金融取引を行うためのカードであり、顧客の氏名、金融機関名、店番号、口座番号等の口座のデータ、暗証番号等のデータを磁気データとして格納する磁気ストライプを備える。また、前記カードは、ＩＣを備えるＩＣカードであってもよく、この場合、口座情報等のデータはＩＣに電子データとして格納されている。さらに、カードリーダプリンタ部１４は、取引の明細が記載された明細書、すなわち、レシートを印字する機構、及び、自動取引装置１１が挿入を受け付けたカードの保留等が可能な機構を有する。
【００１５】
また、１５は媒体取り扱い手段としての通帳記帳部であり、図示されない通帳スロットから顧客が挿入した媒体としての通帳に取引の内容を印字する。ここで、前記通帳は、金融機関が顧客に対して発行した預金通帳等の冊子状の媒体であり、入金、出金、振り込み、振り替え、送金、定期性預金設定等の金融取引の記録が印刷されるものである。なお、前記通帳の表紙又は裏表紙には、顧客の氏名、金融機関名、支店名、口座番号等の口座のデータ、暗証番号等のデータを磁気データとして格納する磁気ストライプを備える。また、前記通帳記帳部１５は、通帳の磁気データの読み取り及び書き込みが可能な機構、及び、自動取引装置１１が挿入を受け付けた通帳の保留等が可能な機構を有する。
【００１６】
さらに、１６は紙幣入出金部であり、顧客が自動取引装置１１に対して紙幣を出し入れするための機構、及び、自動取引装置１１内の紙幣の計数処理を行う機構を有する。そして、入金等の金融取引において顧客が図示されない紙幣入出金口から入金した紙幣を受け取りカウントするとともに、出金等の金融取引において所定金額の紙幣を前記紙幣入出金口から払い出す。
【００１７】
また、２１は硬貨入出金部であり、顧客が自動取引装置１１に対して硬貨を出し入れするための機構、及び、自動取引装置１１内の硬貨の計数処理を行う機構を有する。そして、入金等の金融取引において顧客が図示されない硬貨入出金口から入金した硬貨を受け取りカウントするとともに、出金等の金融取引において所定金額の硬貨を前記硬貨入出金口から払い出す。
【００１８】
そして、２５は通信部であり、ネットワーク１３を介して金融機関の管理する勘定系上位装置としてのホストコンピュータ１２に接続され、該ホストコンピュータ１２との間でのデータの送受信を制御する機構を備える。なお、前記ホストコンピュータ１２は、金融機関の勘定系業務における各種の処理を行う。そして、処理を行った口座についての、例えば、名義、預金額等のデータをデータベース化して、図示されない記憶装置に保存する。また、前記ネットワーク１３は、有線又は無線の公衆通信回線網、専用通信回線網、イントラネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＶＰＮ（Ｖｉｒｔｕａｌ  Ｐｒｉｖａｔｅ  Ｎｅｔｗｏｒｋ）、衛星通信回線網等いかなる通信回線網であってもよく、これらを適宜組み合わせたものであってもよい。
【００１９】
また、２６は、自動取引装置１１全体の制御を行う制御手段としての主制御部である。該主制御部２６は、半導体メモリ、磁気ディスク等から成る記憶手段としての記憶部２２に格納されたプログラムに従って動作を行う一種のコンピュータであり、ＣＰＵ、ＭＰＵ等の演算手段等を備え、前記カードリーダプリンタ部１４、通帳記帳部１５、紙幣入出金部１６、硬貨入出金部２１、通信部２５、顧客画面表示部２３及び顧客入力部２４を含む自動取引装置１１全体の動作を統括的に制御する。
【００２０】
さらに、前記顧客画面表示部２３は、例えば、ＣＲＴディスプレイ等から成り、顧客が操作を行う操作手段としての顧客操作部の一部であり、主制御部２６の指示によって取引に必要な情報を顧客に選択させるための選択手段としてのファンクションキーの表示や、顧客にオペレーションを促すためのメッセージを表示する機構を有する画面である。そして、前記顧客入力部２４は、例えば、タッチスクリーン、ボタン等から成り、顧客が操作を行う操作手段としての顧客操作部の一部であり、顧客の暗証番号や金額等のデータを入力可能とする機構を有する。なお、前記顧客画面表示部２３及び顧客入力部２４は、入力装置と表示装置との機能を兼ね備えるタッチパネルから成り、一体化されていることが望ましい。そして、顧客入力部２４は、顧客がファンクションキーにタッチしたことを検知する手段を有し、検知した内容を変換して主制御部２６に通知する手段も有する。
【００２１】
次に、前記構成の自動取引装置１１の動作について説明する。
【００２２】
図２は本発明の第１の実施の形態における預け替え取引口座を指定する操作画面を示す第１の図、図３は本発明の第１の実施の形態における預け替え取引口座を指定する操作画面を示す第２の図、図４は本発明の第１の実施の形態における自動取引装置の動作を示す第１のフローチャート、図５は本発明の第１の実施の形態における自動取引装置の動作を示す第２のフローチャートである。
【００２３】
まず、顧客が自動取引装置１１の顧客画面表示部２３に表示された図示されない金融取引選択画面を操作して、金融取引として預け替え処理を選択する。なお、前記金融取引選択画面には、「預金引き出し」、「預け替え」等の選択可能な金融取引の種類を示すファンクションキーが表示されている。そして、顧客はいずれかのファンクションキーの押下を行うことによって、所望の金融取引を選択する。ここでは、顧客が、預け替え取引に対応するファンクションキーである預け替え取引キーの押下を行ったものとする。前記預け替え取引は、顧客が管理する複数の口座間で顧客の設定する任意の金額の資金を移動させる金融取引であり、顧客によって指定された金額の資金を移動元の口座としての支払い口座から、移動先の口座としての入金口座に移動させることによって、資金の預け替えを行う金融取引である。
【００２４】
続いて、顧客は、媒体の挿入を行い、図示されないカードスロットから媒体としてのカードを挿入する。なお、媒体として通帳を使用することもできるが、ここでは、媒体としてカードを使用するものとして説明する。そして、カードリーダプリンタ部１４が挿入されたカードの磁気データ、すなわち、媒体情報の読み取りを行い、記憶部２２が前記媒体情報の記憶を行う。ここで、前記媒体情報は、金融機関名、店番号、預金の種類、口座番号、顧客の氏名等である。そして、カードリーダプリンタ部１４は、媒体退避を行って挿入されたカードを保留し、次のカードが挿入されるまで待機する。
【００２５】
続いて、顧客は、再び媒体の挿入を行い、次のカードを挿入する。そして、カードリーダプリンタ部１４が再び媒体情報の読み取りを行い、記憶部２２が再び前記媒体情報の記憶を行う。
【００２６】
このようにして、預け替え取引に必要な２枚のカードについて媒体情報の読み取り及び記憶が行われると、顧客画面表示部２３に図２に示されるような預け替え取引口座を指定する操作画面３１が表示される。該操作画面３１には、預け替え取引における支払い口座及び入金口座を確認又は変更する画面であることを知らせるメッセージ、１枚目のカードに対応する口座の口座情報を表示する第１の口座情報欄３４、２枚目のカードに対応する口座の口座情報を表示する第２の口座情報欄３５、資金の移動方向を示す移動方向矢印３３、支払い口座であることを示す支払い口座表示３７、入金口座であることを示す入金口座表示３８、顧客が支払い口座及び入金口座を変更するためのファンクションキーとしての預け替えキー３６、顧客が支払い口座及び入金口座を確認するためのファンクションキーとしての確認キー４１、並びに、顧客が預け替え取引を中止するためのファンクションキーとしての取消キー４２が表示される。この場合、自動取引装置１１は、１枚目のカードに対応する口座から２枚目のカードに対応する口座へ資金を移動するものと推定し、それに対応した向きとなるように移動方向矢印３３を表示させるようになっている。そして、顧客は、操作画面３１に表示された移動方向矢印３３の向きが正しいか否かを判断し、正しい場合には確認キー４１の押下を行い、正しくない場合には預け替えキー３６の押下を行う。
【００２７】
続いて、自動取引装置１１は、預け替えキー３６の押下が行われたか否かを判断する。そして、預け替えキー３６の押下が行われた場合、移動方向矢印３３の向きの反転、及び、支払い口座表示３７と入金口座表示３８との入れ替えを行い、再び、預け替え取引口座を指定する操作画面３１を顧客画面表示部２３に表示させる。この場合、図３に示されるような預け替え取引口座を指定する操作画面３１が表示される。
【００２８】
また、預け替えキー３６の押下が行われない場合、自動取引装置１１は、確認キー４１の押下が行われたか否かを判断する。そして、確認キー４１の押下が行われた場合、矢印の通りに支払い口座及び入金口座を決定する。すなわち、資金の移動方向が確認キー４１の押下が行われた操作画面３１に表示された移動方向矢印３３の向きと一致するように、支払い口座表示３７に対応する口座を支払い口座として決定し、入金口座表示３８に対応する口座を入金口座として決定する。
【００２９】
続いて、顧客は、顧客画面表示部２３に表示された図示されない暗証番号入力画面を操作して、２枚のカードに対応する暗証番号を入力する。該暗証番号によって顧客の本人確認が行われる。なお、暗証番号の入力は、カードを挿入する毎に行われるようにしてもよい。そして、本人確認が終了すると、顧客は、顧客画面表示部２３に表示された図示されない預け替え金額入力画面を操作して、預け替え金額、すなわち、支払い口座から入金口座に移動させる資金の金額を入力する。すると、自動取引装置１１は、通信部２５からネットワーク１３を介して、ホストコンピュータ１２と送受信を行う。この場合、支払い口座の口座情報、暗証番号、預け替え金額等のデータがホストコンピュータ１２に送信され、該ホストコンピュータ１２によって行われた預け替え処理の結果等のデータを自動取引装置１１が受信する。なお、支払い口座又は入金口座が自動取引装置１１の属する金融機関以外の金融機関、すなわち、他の金融機関に開設された口座である場合、自動取引装置１１は、前記ホストコンピュータ１２、図示されない全国銀行協会のコンピュータ等を介して、前記他の金融機関のホストコンピュータと送受信を行い、預け替え処理の結果等のデータを受信する。
【００３０】
続いて、自動取引装置１１は、ホストコンピュータ１２からのデータを出力する。この場合、カードリーダプリンタ部１４にホストコンピュータ１２から受信したデータをレシートに印字させる。続いて、自動取引装置１１は媒体の返却を行い、処理を終了する。この場合、顧客が挿入した２枚のカードをカードスロットから排出して返却する。また、データが印字されたレシートも前記カードとともに排出する。なお、確認キー４１の押下が行われたか否かを判断して確認キー４１の押下が行われなかった場合、自動取引装置１１は直ちに媒体の返却を行い、処理を終了する。
【００３１】
次に、フローチャートについて説明する。
ステップＳ１  預け替え取引キーを押下する。
ステップＳ２  媒体を挿入する。
ステップＳ３  媒体の情報を読み取る。
ステップＳ４  媒体の情報を記憶する。
ステップＳ５  媒体を退避する。
ステップＳ６  媒体を挿入する。
ステップＳ７  媒体の情報を読み取る。
ステップＳ８  媒体の情報を記憶する。
ステップＳ９  預け替え取引口座指定画面を表示する。
ステップＳ１０  預け替えキー３６を押下したか否かを判断する。預け替えキー３６を押下した場合はステップＳ１１に進み、預け替えキー３６を押下しなかった場合はステップＳ１２に進む。
ステップＳ１１  預け替え方向矢印３３の向きを反転させ、支払い口座表示３７と入金口座表示３８との入れ替えを行う。
ステップＳ１２  確認キー４１を押下したか否かを判断する。確認キー４１を押下した場合はステップＳ１３に進み、確認キー４１を押下しなかった場合はステップＳ１８に進む。
ステップＳ１３  預け替え方向矢印３３の通りに、支払い口座及び入金口座を決定する。
ステップＳ１４  暗証番号を入力する。
ステップＳ１５  預け替え金額を入力する。
ステップＳ１６  ホストコンピュータ１２と送受信する。
ステップＳ１７  ホストコンピュータ１２からのデータを出力する。
ステップＳ１８  媒体を返却して、処理を終了する。
【００３２】
このように、本実施の形態において、自動取引装置１１は、複数の口座に対応する媒体を受け付け、複数の口座の口座情報を取得して資金の移動元及び移動先の口座を特定し、推定された資金の移動方向を顧客が選択可能に表示するようになっている。
【００３３】
そのため、複数の口座間で資金を移動させる処理を行う際に、顧客は、金融機関名、支店名、口座番号等の情報を入力する必要がなく、短時間で、容易に、確実に資金を移動させる処理を行うことができる。また、推定された資金の移動方向が選択可能に表示されているので、顧客は、資金の移動方向が所望の方向となるように適宜変更することができる。
【００３４】
また、自動取引装置１１内において紙幣又は硬貨を移動させる動作がないため、取引時間を短縮することができる。さらに、千円未満の資金の預け替えを行うことができるため、振り込み手数料を支払わなくても良く、便利である。
【００３５】
次に、本発明の第２の実施の形態について説明する。なお、第１の実施の形態と同じ構成を有するものについては、同じ符号を付与することによってその説明を省略する。また、前記第１の実施の形態と同じ動作及び同じ効果についても、その説明を省略する。
【００３６】
図６は本発明の第２の実施の形態における預け替え取引口座を指定する操作画面を示す第１の図、図７は本発明の第２の実施の形態における預け替え取引口座を指定する操作画面を示す第２の図、図８は本発明の第２の実施の形態における預け替え取引口座を指定する操作画面を示す第３の図、図９は本発明の第２の実施の形態における預け替え取引口座を指定する操作画面を示す第４の図である。
【００３７】
前記第１の実施の形態においては、２枚のカードに対応する暗証番号を入力する場合について説明したが、本実施の形態においては、支払い口座のカードに対応する暗証番号のみを入力する場合について説明する。資金の移動元である支払い口座については、本人確認が必須であるのに対し、資金の移動先である入金口座については、本人確認が必須でないので、本実施の形態においては、入金口座のカードに対応する暗証番号の入力を省略することができるようになっている。そして、入力された暗証番号に基づいて資金の移動方向を推定する。
【００３８】
本実施の形態において、自動取引装置１１は、１枚目のカードに対応する口座を支払い口座とし、２枚目のカードに対応する口座を入金口座として仮決定を行い、顧客画面表示部２３に図６に示されるような預け替え取引口座を指定する操作画面３１を表示する。そして、自動取引装置１１は、入力された暗証番号を一旦（たん）記憶部２２に記憶した後、支払い口座に対応するホストコンピュータ１２に送信する。なお、操作画面３１には、暗証番号が入力された旨を表示する暗証番号入力表示４５が支払い口座表示３７の下方に表示される。そして、入力された暗証番号がホストコンピュータ１２にあらかじめ登録されている暗証番号と一致した場合には、前記１枚目のカードに対応する口座を支払い口座として推定する。
【００３９】
また、図７に示されるように、顧客が２枚目のカードに対応する口座の暗証番号を入力した場合、入力された暗証番号がホストコンピュータ１２にあらかじめ登録されている暗証番号と一致しないので、自動取引装置１１は、「暗証番号が違います。支払い口座の暗証番号を入力してください。」というメッセージを顧客画面表示部２３に表示する。
【００４０】
なお、入力された暗証番号がホストコンピュータ１２にあらかじめ登録されている暗証番号と一致しない場合、自動取引装置１１は、自動的に移動方向矢印３３の向きの反転、及び、支払い口座表示３７と入金口座表示３８との入れ替えを行い、図８に示されるような操作画面３１を顧客画面表示部２３に表示させるようにしてもよい。そして、顧客によって確認キー４１の押下が行われると、支払い口座に対応するホストコンピュータ１２に送信する。なお、操作画面３１には、暗証番号が入力された旨を表示する暗証番号入力表示４５が支払い口座表示３７の下方に表示される。そして、入力された暗証番号がホストコンピュータ１２にあらかじめ登録されている暗証番号と一致した場合には、前記２枚目のカードに対応する口座を支払い口座として推定する。なお、入力された暗証番号がホストコンピュータ１２にあらかじめ登録されている暗証番号と一致しない場合には、自動取引装置１１は、「暗証番号が違います。支払い口座の暗証番号を入力してください。」というメッセージを顧客画面表示部２３に表示する。
【００４１】
さらに、２枚のカードに対応する暗証番号の入力を顧客に対して要求することもできる。この場合、図９に示されるような操作画面３１が顧客画面表示部２３に表示される。このとき、操作画面３１には、暗証番号が入力された旨を表示する暗証番号入力表示４５が支払い口座表示３７、入金口座表示３８の下方にそれぞれ表示される。ここで、２枚のカードに対応する暗証番号が同一であるとき、自動取引装置１１は、暗証番号の変更を勧める旨のメッセージを顧客画面表示部２３に表示する。なお、２枚のカードに対応する口座の顧客の氏名や住所が相違するときに、暗証番号の変更を勧める旨のメッセージを表示しないようにしてもよい。
【００４２】
次に、本発明の第３の実施の形態について説明する。なお、第１及び第２の実施の形態と同じ構成を有するものについては、同じ符号を付与することによってその説明を省略する。また、前記第１及び第２の実施の形態と同じ動作及び同じ効果についても、その説明を省略する。
【００４３】
図１０は本発明の第３の実施の形態における預け替え取引口座を指定する操作画面を示す第１の図、図１１は本発明の第３の実施の形態における預け替え取引口座を指定する操作画面を示す第２の図、図１２は本発明の第３の実施の形態における預け替え取引口座を指定する操作画面を示す第３の図、図１３は本発明の第３の実施の形態における暗証番号を入力する操作画面を示す第１の図、図１４は本発明の第３の実施の形態における暗証番号を入力する操作画面を示す第２の図、図１５は本発明の第３の実施の形態における預け替え金額を入力する操作画面を示す図である。
【００４４】
前記第１及び第２の実施の形態においては、自動取引装置１１が資金の移動方向を判断し、顧客が必要に応じて前記移動方向を変更するようになっているが、本実施の形態においては、最初から顧客が資金の移動方向を選択するようになっている。そして、暗証番号の誤入力を考慮して資金の移動方向を推定する。
【００４５】
この場合、自動取引装置１１は、顧客画面表示部２３に図１０に示されるような預け替え取引口座を指定する操作画面３１を表示する。該操作画面３１には、資金の移動元である支払い口座としての預け替え元の口座に対応する媒体としてのカードの挿入を促すメッセージが表示される。なお、該メッセージの先頭には、顧客の注意を喚起する注意喚起マーク４６が表示される。該注意喚起マーク４６は、点滅等を行うことによって顧客の注意を喚起するものである。さらに、移動方向矢印３３、及び、資金の移動方向としての預け替え方向が後に修正可能である旨のメッセージが表示される。
【００４６】
そして、顧客が図示されないカードスロットから支払い口座のカードを挿入すると、自動取引装置１１はカードについて媒体情報の読み取り及び記憶を行い、顧客画面表示部２３に図１１に示されるような預け替え取引口座を指定する操作画面３１を表示する。該操作画面３１には、カードに対応する口座の口座情報を表示する第１の口座情報欄３４、移動方向矢印３３、及び、資金の移動先である入金口座としての預け替え先の口座に対応する媒体としてのカード又は通帳の挿入を促すメッセージが表示される。なお、該メッセージの先頭には、顧客の注意を喚起する注意喚起マーク４６が表示される。さらに、資金の移動方向としての預け替え方向が後に修正可能である旨のメッセージも表示される。
【００４７】
続いて、顧客が図示されないカードスロットから入金口座のカードを挿入すると、自動取引装置１１はカードについて媒体情報の読み取り及び記憶を行い、顧客画面表示部２３に図１２に示されるような預け替え取引口座を指定する操作画面３１を表示する。該操作画面３１には、第１の口座情報欄３４、移動方向矢印３３、２枚目のカードに対応する口座の口座情報を表示する第２の口座情報欄３５、及び、資金の移動方向としての預け替え方向の選択を促すメッセージが表示される。なお、該メッセージの先頭には、顧客の注意を喚起する注意喚起マーク４６が表示される。また、移動方向矢印３３に代えて、資金の移動方向を選択するためのファンクションキーとしての第１の移動方向選択キー３３ａ及び第２の移動方向選択キー３３ｂが表示される。そして、顧客は、第１の移動方向選択キー３３ａ又は第２の移動方向選択キー３３ｂの押下を行うことによって、預け替え方向の選択を行う。すると、押下が行われなかった移動方向選択キーは消去され、押下が行われた移動方向選択キーのみが表示される。また、図１２に示されるような操作画面３１において確認キー４１の押下が行われた場合は、第１の移動方向選択キー３３ａの押下が行われたものと判断され、第２の移動方向選択キー３３ｂが消去される。
【００４８】
続いて、自動取引装置１１は、顧客画面表示部２３に図１３に示されるような暗証番号を入力する操作画面５１を表示する。該操作画面５１には、資金の移動元である支払い口座としての預け替え元の口座に対応する口座情報を表示する預け替え元口座情報欄５２、暗証番号入力用テンキー５３、及び、暗証番号の入力を促すメッセージが表示される。そして、顧客は暗証番号入力用テンキー５３の押下を行って、預け替え元の口座に対応する暗証番号を入力する。
【００４９】
ここで、入力された暗証番号がホストコンピュータ１２にあらかじめ登録されている暗証番号と一致しない場合、自動取引装置１１は、顧客画面表示部２３に図１４に示されるような暗証番号を入力する操作画面５１を表示する。該操作画面５１には、暗証番号が違うので、支払い口座の暗証番号を再度入力することを促すメッセージが表示される。
【００５０】
そして、入力された暗証番号がホストコンピュータ１２にあらかじめ登録されている暗証番号と一致すると、自動取引装置１１は、顧客画面表示部２３に図１５に示されるような預け替え金額を入力する操作画面５５を表示する。該操作画面５５には、預け替え元口座情報欄５２、預け替え金額入力用テンキー５７、及び、預け替え金額の入力を促すメッセージが表示される。なお、預け替え元口座情報欄５２内には、預け替えの限度額が表示される。そして、顧客は預け替え金額入力用テンキー５７の押下を行って、預け替え金額を入力する。
【００５１】
なお、本発明は前記実施の形態に限定されるものではなく、本発明の趣旨に基づいて種々変形させることが可能であり、それらを本発明の範囲から排除するものではない。
【図面の簡単な説明】
【００５２】
【図１】本発明の第１の実施の形態における自動取引装置の構成を示すブロック図である。
【図２】本発明の第１の実施の形態における預け替え取引口座を指定する操作画面を示す第１の図である。
【図３】本発明の第１の実施の形態における預け替え取引口座を指定する操作画面を示す第２の図である。
【図４】本発明の第１の実施の形態における自動取引装置の動作を示す第１のフローチャートである。
【図５】本発明の第１の実施の形態における自動取引装置の動作を示す第２のフローチャートである。
【図６】本発明の第２の実施の形態における預け替え取引口座を指定する操作画面を示す第１の図である。
【図７】本発明の第２の実施の形態における預け替え取引口座を指定する操作画面を示す第２の図である。
【図８】本発明の第２の実施の形態における預け替え取引口座を指定する操作画面を示す第３の図である。
【図９】本発明の第２の実施の形態における預け替え取引口座を指定する操作画面を示す第４の図である。
【図１０】本発明の第３の実施の形態における預け替え取引口座を指定する操作画面を示す第１の図である。
【図１１】本発明の第３の実施の形態における預け替え取引口座を指定する操作画面を示す第２の図である。
【図１２】本発明の第３の実施の形態における預け替え取引口座を指定する操作画面を示す第３の図である。
【図１３】本発明の第３の実施の形態における暗証番号を入力する操作画面を示す第１の図である。
【図１４】本発明の第３の実施の形態における暗証番号を入力する操作画面を示す第２の図である。
【図１５】本発明の第３の実施の形態における預け替え金額を入力する操作画面を示す図である。
【符号の説明】
【００５３】
１１    自動取引装置
１４    カードリーダプリンタ部
１５    通帳記帳部
２３    顧客画面表示部
２４    顧客入力部
２６    主制御部
【図１】
2006350582.tif 000003
【図２】
2006350582.tif 000004
【図３】
2006350582.tif 000005
【図４】
2006350582.tif 000006
【図５】
2006350582.tif 000007
【図６】
2006350582.tif 000008
【図７】
2006350582.tif 000009
【図８】
2006350582.tif 000010
【図９】
2006350582.tif 000011
【図１０】
2006350582.tif 000012
【図１１】
2006350582.tif 000013
【図１２】
2006350582.tif 000014
【図１３】
2006350582.tif 000015
【図１４】
2006350582.tif 000016
【図１５】
2006350582.tif 000017